(57)【特許請求の範囲】
【請求項１】
投入口を介して回転ドラム式の貯留機の内部に塵芥を投入可能とする塵芥投入装置において、
前記塵芥を受入可能な受入部を有し、前記投入口の下辺に沿う第一回動軸を介して第一支持部に取り付けられることで、前記受入部を前記投入口の外側に位置させて前記投入口を開放することで前記塵芥を受け入れ可能にする開放位置と、前記受入部を前記投入口の内側に配置させて前記投入口を閉塞する閉塞位置との間で回動可能とされた蓋部と、
前記第一回動軸よりも前記投入口の内側で且つ下側に配置される第二回動軸を介して第二支持部に下部が取り付けられる板部を有するとともに、該板部の上部が前記第一回動軸に前記第二回動軸よりも近接することで該板部によって前記投入口の内側に向かうに従って下方に向かって延びる傾斜面が形成される傾斜位置と、前記板部の上部が前記第一回動軸から前記第二回動軸側に離間して該板部が立ち姿勢となることにより塵芥を前記貯留機側に落下させる落下位置との間で回動可能なシュート部と、
前記蓋部を開放位置に回動させた場合に前記シュート部を傾斜位置に回動させるとともに、前記蓋部を閉塞位置に回動させた場合に前記シュート部を落下位置に回動させるリンク機構と、
を備えることを特徴とする塵芥投入装置。
【請求項２】
前記リンク機構は、前記蓋部を開放位置から閉塞位置へ回動させる際に、前記シュート部が回動開始するのを遅延させる遅延手段を備えていることを特徴とする請求項１に記載の塵芥投入装置。
【請求項３】
前記蓋部は、
前記開放位置に回動させた場合に、水平位置よりも下側位置まで回動されることを特徴とする請求項１又は２に記載の塵芥投入装置。
【請求項４】
請求項１乃至３の何れか一項に記載の塵芥投入装置と、前記回転ドラム式の貯留機とを備える塵芥貯留システム。
【発明の詳細な説明】
【技術分野】
【０００１】
この発明は、回転ドラム式の貯留機へ塵芥を投入する塵芥投入装置および該塵芥投入装置を備える塵芥貯留システムに関するものである。
【背景技術】
【０００２】
マンションなどの集合住宅においては、各家庭から出る塵芥を、塵芥収集車が回収に来るまでの間、一時的に貯留する貯留機が設置されている場合がある。
この種の貯留機としては、ドラム内部に投入された塵芥を、ドラムの回転により排出口側に圧縮して貯留する回転ドラム式の貯留機が知られている。
この回転ドラム式の貯留機は、塵芥収集車の受入口に対応した高さ位置に排出口が配置されており、この排出口とは反対側に、利用者が塵芥を投入する投入口が配置されている。
利用者が投入口から投入した塵芥は、スライダーを介して斜め下方に滑り落ちることでドラム内に導入され、ドラム内で排出口側へと圧縮されて貯留された後、排出口を介して塵芥収集車に受け渡される。
このような回転ドラム式の貯留機においては、塵芥収集車に塵芥を受け渡す排出口の高さを基準として貯留機の設置レベルが決められているため、投入口の位置が比較的高い位置となり、背の低い人が塵芥を投入し難くなっていた。
そのため、投入口に向けて昇降台や、階段等を設けて嵩上げすることが行われている（例えば、特許文献１参照）。
また、背の低い人であっても塵芥の投入を行い易いように、塵芥を比較的低い位置で受け取った後、モータ等の動力により上方に搬送して、貯留機の投入口へ反転投入する投入装置を備えたものが提案されている（例えば、特許文献２参照）。
【先行技術文献】
【特許文献】
【０００３】
【特許文献１】特許第４２５１６３８号公報
【特許文献２】特許第４３４５９２３号公報
【発明の概要】
【発明が解決しようとする課題】
【０００４】
しかしながら、昇降台や階段を設けている場合、高齢者などにとって昇り降りが負担となってしまい、また、車椅子の利用者の場合、昇降台や階段が邪魔になって投入口への接近が困難になってしまうという課題がある。
さらに、塵芥を上方に搬送する投入装置を設けた場合、低い位置で塵芥を投入できるものの、装置構成が複雑化してコストが上昇してしまうと共に、装置が大型化して貯留機の設置自由度が低下してしまうという課題がある。
【０００５】
また、上述した塵芥を円滑に貯留機内に滑り落とすためには、スライダーの傾斜角度を十分に立てる必要があるが、上述した回転ドラム式の貯留機の場合、投入口の内側直下に、汚汁や臭いの漏出を防止する漏出防止機構が配置されているため、単に投入口の位置を低くしようとすると、漏出防止機構が邪魔になって、スライダーの傾斜角度を確保するのが困難になってしまう。
【０００６】
この発明は、上記事情に鑑みてなされたものであり、装置が複雑化してコストが上昇したり設置自由度が低下することなく投入口を低位置に配置して、高齢者や車椅子の利用者であっても塵芥を投入し易い塵芥投入装置および塵芥貯留システムを提供するものである。
【課題を解決するための手段】
【０００７】
上記の課題を解決するために、以下の構成を採用する。
本発明に係る塵芥投入装置は、投入口を介して回転ドラム式の貯留機の内部に塵芥を投入可能とする塵芥投入装置において、前記塵芥を受入可能な受入部を有し、前記投入口の下辺に沿う第一回動軸を介して第一支持部に取り付けられることで、前記受入部を前記投入口の外側に位置させて前記投入口を開放することで前記塵芥を受け入れ可能にする開放位置と、前記受入部を前記投入口の内側に配置させて前記投入口を閉塞する閉塞位置との間で回動可能とされた蓋部と、前記第一回動軸よりも前記投入口の内側で且つ下側に配置される第二回動軸を介して第二支持部に下部が取り付けられる板部を有するとともに、該板部の上部が前記第一回動軸に前記第二回動軸よりも近接することで該板部によって前記投入口の内側に向かうに従って下方に向かって延びる傾斜面が形成される傾斜位置と、前記板部の上部が前記第一回動軸から前記第二回動軸側に離間して該板部が立ち姿勢となることにより塵芥を前記貯留機側に落下させる落下位置との間で回動可能なシュート部と、前記蓋部を開放位置に回動させた場合に前記シュート部を傾斜位置に回動させるとともに、前記蓋部を閉塞位置に回動させた場合に前記シュート部を落下位置に回動させるリンク機構と、を備えることを特徴とする。
このようにすることで、例えば、蓋部を開放位置に回動させて受入部に塵芥を受入した後、蓋部を閉塞位置に回動させることで、開放位置と閉塞位置との回動途中で、蓋部の傾斜により塵芥がシュート部に移動し、さらに蓋部を閉塞位置側に回動すると、シュート部の上部が第一回動軸から離間してシュート部の傾斜角度が徐々に立ち上がるので、塵芥を貯留機側に落下させるのに十分な傾斜角度になった時点で、塵芥が貯留機側に落下することとなる。したがって、投入口の位置を従来よりも低い位置に配置し、例えば、汚汁などの漏出を防止する漏出防止機構等を避けて投入用のスライダーを配置することで当該スライダーの傾斜角度が十分に得られない場合であっても、塵芥を確実に貯留機側に落下させることができる。
さらに、シュート部が落下位置に回動された場合に、急傾斜で立ち上がる姿勢になるため、シュート部に塵芥が滞留するのを防止することができる。
また、シュート部が傾斜位置から落下位置に回動可能なので、投入口に延設される固定式のスライダーを用いて塵芥を滑り落とす必要がないため、スライダーを必要最小限に小型化することができる。
【０００８】
さらに、本発明の塵芥投入装置は、上記塵芥投入装置において、前記蓋部は、前記開放位置に回動させた場合に、水平位置よりも下側位置まで回動されるようにしてもよい。
このようにすることで、蓋部を開放位置に回動させた場合に、蓋部をより低い位置に配置させることができるため、受入部に塵芥を受入する際に、利用者が塵芥を持ち上げる高さがより低くなり、更なる利用者の負担軽減を図ることができる。
【０００９】
さらに、本発明の塵芥投入装置は、上記塵芥投入装置において、前記リンク機構は、前記蓋部を開放位置から閉塞位置へ回動させる際に、前記シュート部が回動開始するのを遅延させる遅延手段を備えていてもよい。
このようにすることで、蓋部からシュート部へ塵芥を移動させる際に、蓋部からシュート部へ塵芥が移動する前にシュート部が回動を開始するのを防止できるため、塵芥を円滑に貯留機側に移動させることができる。
【００１０】
また、本発明の塵芥貯留システムは、上記本発明の塵芥投入装置と、回転ドラム式塵芥貯留機とを備えることを特徴としている。
このようにすることで、とりわけ、投入口の高さ位置を低くすることが困難な回転ドラム式の貯留機であっても投入口の高さ位置を低下させることができるため、高齢者や車椅子の利用者がより快適に利用することができる。
【発明の効果】
【００１１】
本発明に係る塵芥投入装置および、該塵芥投入装置を備える塵芥貯留システムによれば、投入口の位置を従来よりも低い位置に配置し、さらに、汚汁などの漏出を防止する漏出防止機構等を避けるようにシュート部を配置したとしても、蓋部が開放位置から閉塞位置に回動された際に、シュート部が傾斜位置から落下位置まで回動し、落下位置において塵芥を貯留機側に落下させるのに十分な傾斜角度になるので、確実に塵芥を貯留機側に落下させることができる。したがって、装置の複雑化によるコスト上昇や設置自由度が低下するのを防止しつつ、投入口を低位置に配置して昇降台や階段等を省略することができるため、高齢者や車椅子の利用者が容易に塵芥を投入することが可能になる。
【図面の簡単な説明】
【００１２】
【図１】本発明の実施形態における塵芥貯留システムの側面図である。
【図２】本発明の実施形態における塵芥投入装置の斜視図である。
【図３】上記塵芥投入装置の投入口が開放された状態を示す側面図である。
【図４】上記塵芥投入装置の投入口が閉塞された状態を示す側面図である。
【図５】上記塵芥投入装置の蓋部が中間位置まで回動された状態を示す側面図である。
【図６】上記塵芥投入装置の正面図である。
【図７】従来の投入用スライダー、投入口、および、漏出防止機構の位置関係を示す図である。
【図８】本発明の実施形態における図７に相当する図である。
【図９】本発明の実施形態の変形例における図３に相当する図である。
【発明を実施するための形態】
【００１３】
次に、この発明の実施形態における塵芥投入装置１および、該塵芥投入装置１を備えた塵芥貯留システム１００について図面を参照しながら説明する。
図１は、この実施形態の塵芥貯留システム１００を示す側面図であり、この図１に示す塵芥貯留システム１００は、主に、塵芥ｇを内部に貯留する貯留機２と、該貯留機２の内部へ塵芥ｇを投入するための塵芥投入装置１とを備えて構成される。
【００１４】
貯留機２は、家庭で出た塵芥ｇを一時的に受入する装置であり、塵芥投入装置１は、貯留機２に塵芥ｇを投入するための装置である。
貯留機２は、その一端側から塵芥ｇが投入可能とされる一方、投入された塵芥ｇを他端側から強制的に排出可能となっており、略円筒状の貯留本体部３と、この貯留本体部３を支持するフレーム部４とを備えている。フレーム部４は、貯留機２を下方から支える水平フレーム部５を備えており、この水平フレーム部５には、貯留本体部３の軸線に平行な回動軸を有する左右一対のローラー６が、貯留本体部３の軸方向に十分に離間してそれぞれ設けられている。これらローラー６の上には、貯留本体部３が載置されて、ローラー６の回動により、貯留本体部３がその軸回りに回転可能な状態でフレーム部４に支持される。なお、以下の説明では、貯留本体部３の軸線方向において、塵芥ｇを排出する側を単に排出側、塵芥ｇが投入される側を単に投入側と称する。
【００１５】
水平フレーム部５の排出側には、貯留本体部３の軸線と平行な出力軸８を有する電動機７が取り付けられており、この電動機７の出力軸８の軸端部に取り付けられたプーリー９と、貯留本体部３の排出側に形成された傾斜部１０の外周との間にベルト１１が掛け回されている。電動機７を作動させることで、その回転動力がベルト１１を通じて貯留本体部３に伝達されて貯留本体部３が回動されることとなる。なお、ベルト１１を介して電動機７と貯留本体部３とを連係させる場合について説明したが、電動機７と貯留本体部３とを歯車機構を用いて連係することで貯留本体部３を回転駆動するようにしてもよい。
【００１６】
貯留本体部３の内部には、螺旋翼（図示せず）などの押し込み機構が設けられており、この押し込み機構によって、貯留本体部３が所定の圧縮方向に回動されると、貯留本体部３の内部に投入された塵芥ｇが排出方向へ押し込まれて圧縮されるようになっている。
【００１７】
水平フレーム部５には、下方に向かって脚部１２が突出して設けられており、この脚部１２の長さを変化させることで貯留機２の設置レベル（フロアからの高さ）が調整可能になっている。通常、貯留機２の設置レベルは、貯留機２の排出口１３が塵芥収集車１５の受入口１４に対応した高さとなるように設定され、より具体的には、排出口１３から塵芥収集車１５の受入口１４に塵芥ｇを円滑に受け渡すことが可能な高さとなるように設定される。
【００１８】
水平フレーム部５の排出側の端部には、鉛直上方に延びる縦フレーム部１６が立設されており、この縦フレーム部１６の上下略中央に貯留本体部３の排出口１３が支持されている。さらに、縦フレーム部１６には、電動機や油圧シリンダーなどによって排出口１３を開閉する出口開閉機構１７が設けられるとともに、排出口１３から排出された塵芥ｇを塵芥収集車１５の受入口１４まで滑り落とすためのスライダー１８が取り付けられている。
上述した構成によれば、塵芥収集車１５の受入口１４がスライダー１８に対して適正な位置に配置された状態で、電動機７を駆動して貯留本体部３を回動させ、出口開閉機構１７により排出口１３を開放すると、貯留本体部３の内部に貯留されて排出側に圧縮された塵芥ｇが、排出口１３から強制的に排出されて、スライダー１８を滑り落ちて塵芥収集車１５の受入口１４に導入されることとなる。
【００１９】
貯留機２は、貯留本体部３の投入側に建屋等の構造物の壁部２０が隣接するように配置されており、この壁部２０には、略矩形の孔２０ａが穿設され、この孔２０ａに、投入口２１を有した塵芥投入装置１が取り付けられている。塵芥投入装置１から貯留機２の内部下側に向かって、所定の傾斜角度を有した投入用スライダー２２が取り付けられ、その下端が貯留本体部３の内部に臨んでいる。
【００２０】
図２は、この実施形態における塵芥投入装置１の斜視図であり、図３は、蓋部２６が開放位置の場合の側面図、図４は、蓋部２６が閉塞位置の場合の側面図、図５は、蓋部２６が中間位置の場合の側面図、図６は、蓋部２６が閉塞位置の場合の正面図である。
図２〜図６に示す如く、壁部２０に形成された孔２０ａの内周面にはブラケット２３ａが取り付けられ、このブラケット２３ａに、投入口２１の周壁を形成する額縁部２３ｂがビス等により固定されている。額縁部２３ｂの内面には、投入口２１の上方および下方から排出側に向かって突出する突出部２３ｅ，２３ｆが形成され、これら突出部２３ｅ，２３ｆ間に掛け渡されるように、投入口２１の左辺および右辺に沿って延在する一対の支持部材２３ｃが取り付けられている。支持部材２３ｃの下部外側の第一支持部２４には、投入口２１の下辺に沿う（換言すれば、投入口２１の下端近傍に設けられ略水平な）第一回動軸２５を介して蓋部２６が回動可能に取り付けられている。なお、突出部２３ｅには、後述するシュート部３０用の緩衝材としてクッションゴムｃが取り付けられている。
【００２１】
第一支持部２４よりも投入口２１の内側には、支持部材２３ｃと略平行な支持部材２８が設けられ、この支持部材２８の下部には、投入用スライダー２２の下壁近傍の第二支持部２７が配置され、この第二支持部２７に、第一回動軸２５と略平行な第二回動軸２９を介して、シュート部３０の基部が回動可能に取り付けられている。つまり、第一回動軸２５よりも投入口２１の内側且つ下側に第二回動軸２９が配置されることとなる。なお、投入口２１の上方の額縁部２３ｂには、投入用スライダー２２に設けられるセンサ（図示せず）の検知結果に基づき、塵芥ｇの投入禁止状態および投入可能状態を判定して、各状態を利用者に報知する報知装置２３ｄが取り付けられている。
【００２２】
蓋部２６は、上記第一回動軸２５を介して第一支持部２４に支持されることで、投入口２１を開放する開放位置（図３参照）と、投入口２１を閉塞する閉塞位置（図４参照）との間で回動可能とされている。
【００２３】
より具体的には、蓋部２６は、開放位置で略水平になる底板部３３と、この底板部３３の左右端縁から立ち上がる左右一対の側板部３５と、底板部３３の前方側から立ち上がり側板部３５間に亘って配置される略帯状の前板部３４とを備えて構成され、これら底板部３３、側板部３５、および、前板部３４によって、塵芥ｇを受入可能な受入部３２が構成されている。底板部３３は、第一回動軸２５に向かって徐々に厚さが増すように形成されると共に、前板部３４に向かって徐々に厚さが増加するように形成され、これにより、底板部３３の内面が側面視で略凹状の曲面を呈している。
【００２４】
底板部３３の外面には、前板部３４の近傍に、蓋部２６を回動操作するための操作ハンドル部３６が取り付けられている。このように第一回動軸２５から離間した位置に操作ハンドル部３６を配置することで、蓋部２６をより小さな作動力で開閉させることが可能となっている。なお、図２〜図６に示す操作ハンドル部３６の形状は一例であって、蓋部２６を回動操作できる形状であれば、図２〜図６に示す操作ハンドル部３６の形状に限られるものではない。
【００２５】
ここで、図３を参照し、蓋部２６を開放位置とした場合、受入部３２が投入口２１の外側に位置されると共に、受入部３２が上方を向く状態となる。これにより、塵芥ｇを受入部３２に受け入れることが可能な状態となる。
一方、図４を参照し、蓋部２６を閉塞位置とした場合、蓋部２６の受入部３２が投入口２１の内側（投入口２１の外縁よりも内側）に位置されて、受入部３２が投入口２１の内側を向く立ち姿勢となる。
【００２６】
シュート部３０は、平板状の板部３０ａを備えて構成され、この板部３０ａの基部側であるシュート部３０の下部が第二回動軸２９を介して第二支持部２７に支持されることで、板部３０ａの端部側であるシュート部３０の上部が第一回動軸２５に近接配置される傾斜位置と、シュート部３０の上部が第一回動軸２５から離間して塵芥ｇを貯留機２側に落下させる落下位置との間で回動可能となっている。
シュート部３０は、図３に示す傾斜位置において、板部３０ａの基部側が下側となる４５度程度の傾斜角度で延在される一方、図４に示す落下位置において、板部３０ａが９０度程度すなわち略鉛直に延在される立ち姿勢となり、傾斜位置で受け入れた塵芥ｇを、傾斜位置から落下位置への回動により、貯留本体部３の内部に落下させることができるようになっている。
【００２７】
蓋部２６とシュート部３０とは、左右側部において、リンク部材４２により連係されている。より具体的には、シュート部３０の上端部と、蓋部２６の側板部３５との間にリンク部材４２が掛け渡されて、シュート部３０の上端部の接続部、および蓋部２６の側板部３５の接続部において、上記第一回動軸２５と略平行な回動軸４５を介して回動可能に支持されている。このリンク部材４２によって、蓋部２６を開放位置に回動させた場合には、シュート部３０が傾斜位置に回動され、蓋部２６を閉塞位置に回動させた場合には、シュート部３０が落下位置に回動されることとなる。
【００２８】
リンク部材４２は、蓋部２６を開放位置から閉塞位置に回動させる際に、蓋部２６の傾斜角度が４５度を超える所定角度になる中間位置まで、シュート部３０の回動を開始させないように遅延させる遅延手段４２ａを有している。これは、開放位置から閉塞位置への蓋部２６の回動を開始するのと略同時にシュート部３０の端部を第一回動軸２５から離間する方向へ変移させると、シュート部３０と蓋部２６との間に隙間が生じて塵芥ｇが引っかかってしまう虞があるからである。そこで、塵芥ｇを蓋部２６の受入部３２からシュート部３０の板部３０ａへの塵芥ｇの受け渡しが円滑且つ確実に行われるよう、図５に示す如く、遅延手段４２ａによりシュート部３０の回動開始タイミングを遅延させている。
【００２９】
遅延手段４２ａは、遅延時間に応じた所定長さだけリンク部材４２を伸縮可能にするものであり、より具体的には、蓋部２６が開放位置から上記中間位置に回動されるまでリンク部材４２を縮ませることで、蓋部２６の回動による力がリンク部材４２を介してシュート部３０に伝達されないように、換言すれば、中間位置よりも閉塞位置側において蓋部２６の回動による力がリンク部材４２を介してシュート部３０に伝達するように作用させる。なお、遅延手段としては、種々の手法を用いることができ、リンク部材４２を伸縮可能にする構成の他に、例えば、支持部４３に長孔を形成して回動軸４５をスライド可能に構成するようにしてもよい。
【００３０】
投入口２１の上辺側に配置された突出部２３ｆには、下方に向かって付勢されて出没可能なロック部材ｒを有した保持機構ｈが取り付けられている。蓋部２６には、蓋部２６が閉塞位置の場合に保持機構ｈに対向する位置に凹部５０が形成されており、この凹部５０に上記ロック部材ｒが入り込むことで、蓋部２６が開放方向へ変移するのが規制される。
【００３１】
保持機構ｈは、スイッチｓの操作により蓋部２６の閉塞位置での保持を解除する一方、蓋部２６を閉塞位置に保持する際には、スイッチｓを操作することなしに保持可能となっている。より具体的には、蓋部２６を閉塞位置に回動することで、ロック部材ｒの傾斜面が蓋部２６の端部（前板部３４）により押圧されて上方に変移し凹部５０内に没入されることで、蓋部２６の回動が規制されて蓋部２６が閉塞位置で保持される。なお、蓋部２６は、開放位置に回動された場合、自重により開放位置に保持される。
【００３２】
図７は、従来の塵芥投入装置を用いた場合を示しており、図８は、本実施形態の塵芥投入装置１を用いた場合を示している。
図７、図８に示すように、回転ドラム式の貯留機２の貯留本体部３の内部には、投入用スライダー２２の直下、換言すれば、回動する貯留本体部３の外周壁と、回動しない後壁との間に、汚汁が外部に漏れるのを防止する越流壁や、臭気が外部にもれるのを防止するシール機構等を備える漏出防止機構４７が配置されている。図７に示す従来の場合は、投入用スライダー１２２を４５度以上に設定しつつ、投入用スライダー１２２が漏出防止機構４７を避けることができる高さに、投入口１２１を設ける必要があった。
【００３３】
これに対し図８に示すように、本実施形態の塵芥投入装置１は、シュート部３０を回動させる第二回動軸２９が、蓋部２６を回動させる第一回動軸２５よりも投入口２１の内側且つ下側に配置され、シュート部３０の端部側が投入口２１の外側から内側に向かって変移して、貯留本体部３へ塵芥ｇを投入する際にシュート部３０の傾斜角度を急角度に変化させることができる。つまり、投入用スライダー２２の傾斜角度を従来の投入用スライダー１２２ほど急傾斜に設定しなくても、塵芥ｇを貯留本体部３側へ投入できるため、フロアレベルＦＬからの投入口２１の位置ｈ１を、従来の投入口１２１の位置ｈ２よりも低下させることが可能となっている。
【００３４】
なお、図８中、本実施形態の投入口２１の位置に、従来の投入装置を設けた場合の投入用スライダー１２２の位置を破線で示している。この図８に示す投入用スライダー１２２の位置からも分かるように、投入用スライダー１２２の傾斜角度を確保しようとすると投入用スライダー１２２が漏出防止機構４７に干渉してしまい、一方、漏出防止機構４７への干渉を回避しようとすると投入用スライダー１２２を、塵芥ｇを滑り落とすのに十分な傾斜角度に設定することができなくなってしまう。
【００３５】
したがって、上述した実施形態における塵芥投入装置１および塵芥貯留システム１００によれば、蓋部２６を開放位置に回動させて受入部３２に塵芥ｇを受入した後、蓋部２６を閉塞位置に回動させることで、開放位置と閉塞位置との回動途中の中間位置で、蓋部２６の傾斜により塵芥ｇがシュート部３０上に移動し、更に蓋部２６を閉塞位置側に回動すると、シュート部３０の上部が第一回動軸２５から離間してシュート部３０の傾斜角度が徐々に立ち上がるので、塵芥ｇを貯留機２側に落下させるのに十分な傾斜角度になった時点で、塵芥ｇが貯留機２側に落下することとなる。この結果、投入口２１の位置を従来よりも低い位置に配置し、漏出防止機構４７を避けて投入用スライダー２２を配置することで投入用スライダー２２の傾斜角度が十分に得られない場合であっても、塵芥ｇを確実に貯留機２側に落下させることができる。
【００３６】
さらに、シュート部３０が落下位置に回動された場合に、急傾斜で立ち上がる立ち姿勢になるため、シュート部３０に塵芥ｇが滞留するのを防止することができる。
また、シュート部３０が傾斜位置から落下位置に回動可能なので、投入口２１に延設される固定式の投入用スライダー２２を用いて塵芥ｇを滑り落とす必要がないため、投入用スライダー２２を必要最小限に小型化することができる。
【００３７】
そして、遅延手段４２ａにより蓋部２６からシュート部３０へ塵芥ｇを移動させる際に、蓋部２６からシュート部３０へ塵芥ｇが移動する前にシュート部３０が回動を開始するのを防止できるため、塵芥ｇを円滑に貯留機２側に移動させることができる。
【００３８】
なお、この発明は上述した実施形態の構成に限られるものではなく、その要旨を逸脱しない範囲で設計変更可能である。
例えば、ダンパーによって蓋部２６の開閉速度を制限するようにしてもよく、さらに、ガスダンパーなど弾性力を有するものを用いて、蓋部２６を付勢して開閉作動をアシストするようにしても良い。このようにすることで、容易に蓋部２６を操作可能であるとともに、より少ない力で蓋部２６を開放又は閉塞することができるため、塵芥ｇを投入する際の利用者の負担を軽減することができる。
【００３９】
また、上述した実施形態においては、蓋部２６を開放位置に回動した場合に、その外面が略水平となる位置まで回動する場合を一例に説明したが、図９に示す変形例のように、水平位置ＨＬよりも低い位置まで（例えば、１５度程度）回動させるようにしてもよい。このように構成することで、塵芥ｇを投入する際に、利用者が塵芥ｇを持ち上げる高さがより低くなり、更なる利用者の負担軽減を図ることができる。
【符号の説明】
【００４０】
２  貯留機
２１  投入口
２４  第一支持部
２５  第一回動軸
２６  蓋部
２７  第二支持部
２９  第二回動軸
３０  シュート部
３２  受入部
４２  リンク部材（リンク機構）
４２ａ  遅延手段
ｇ  塵芥
【図１】
0005843563.tif 000002
【図２】
0005843563.tif 000003
【図３】
0005843563.tif 000004
【図４】
0005843563.tif 000005
【図５】
0005843563.tif 000006
【図６】
0005843563.tif 000007
【図７】
0005843563.tif 000008
【図８】
0005843563.tif 000009
【図９】
0005843563.tif 000010